(57)【特許請求の範囲】
【請求項１】
化粧面の上下端部に雄雌連結構造を有する長尺状の外装材において、雄型連結部は垂直面状の化粧面の下端を屋内側に屈曲した下側壁と、下側壁の先端を上方に突出した下縁と、化粧面と下側壁と下縁とからなるカバー片と、下縁の先端を屋内側に屈曲した最奥片と、最奥片の先端を下方に垂下した係合片と、下縁と最奥片と係合片とからなる係合溝と、係合片の先端を屋内側に突出した段差片と、段差片の先端を下方に垂下した挿入片と、挿入片の先端を屋外側で上方に傾斜して突出した脱落防止片とから形成し、雌型連結部は化粧面の上端を屋内側に突出した上側壁と、上側壁の先端を上方に突出した目地面と、目地面の先端を屋内側へ屈曲すると共に下方に傾斜して突出した傾斜面と、目地面と傾斜面とから形成した嵌合面と、傾斜面の一部を屋外側へ窪ませた脱落防止溝と、脱落防止溝により形成された支持面と、傾斜面の先端を上方に突出した固定面と、傾斜面と固定面とから形成した嵌合溝とから形成したことを特徴とする外装材。
【発明の詳細な説明】
【技術分野】
【０００１】
本発明は建築、構築物の外装を形成する外装材において、特に耐風圧性能を向上した外装材に関するものである。
【背景技術】
【０００２】
一般に、金属製板材をロール成形等して加工し、施工後の耐漏水性及び強度、特に風等による外面側へ働く力に対する強度が優れている縦張用建築用外壁材が上市されている。（例えば、特許文献１、２参照）。
【先行技術文献】
【特許文献】
【０００３】
【特許文献１】特開平６−２４０８３９号公報
【特許文献２】特開平６−３０７０５６号公報
【特許文献３】特開平１１−１７２８９２号公報
【発明の概要】
【発明が解決しようとする課題】
【０００４】
特許文献１、２は共に、施工後の耐漏水性及び強度に優れた縦張用建築用外壁材を提供するものであり、係合片が係合片受内の溝状凹部に係止されるものである。しかしながら、施工後のこの外壁材は施工後に外すことが出来ないために、施工に間違いが許されず、施工性に大きな問題があった。また、引例３は金属製表面材と裏面材間に芯材を形成した横張り用のサイディングボードであるが、この種サイディングボードは軽量で施工性が良く、広く使用されているが、嵌合部が強度的に弱く耐風圧性能に弱点があった。
【課題を解決するための手段】
【０００５】
本発明はこのような欠点を解決するために、化粧面の上下端部に雄雌連結構造を有する長尺状の外装材において、雄型連結部は垂直面状の化粧面の下端を屋内側に屈曲した下側壁と、下側壁の先端を上方に突出した下縁と、化粧面と下側壁と下縁とからなるカバー片と、下縁の先端を屋内側に屈曲した最奥片と、最奥片の先端を下方に垂下した係合片と、下縁と最奥片と係合片とからなる係合溝と、係合片の先端を屋内側に突出した段差片と、段差片の先端を下方に垂下した挿入片と、挿入片の先端を屋外側で上方に傾斜して突出した脱落防止片とから形成し、雌型連結部は化粧面の上端を屋内側に突出した上側壁と、上側壁の先端を上方に突出した目地面と、目地面の先端を屋内側へ屈曲すると共に下方に傾斜して突出した傾斜面と、目地面と傾斜面とから形成した嵌合面と、傾斜面の一部を屋外側へ窪ませた脱落防止溝と、脱落防止溝により形成された支持面と、傾斜面の先端を上方に突出した固定面と、傾斜面と固定面とから形成した嵌合溝とから形成した外装材に関するものである。
【発明の効果】
【０００６】
本発明に係る外装材によれば、（１）壁体の耐風圧性能試験において屋内側より負圧の風荷重（壁を引っ張る力）を受けた場合に、脱落防止片が傾斜した傾斜面に形成した脱落防止溝に引っ掛かることにより、外装材Ａ同士の連結が外れることが無く、耐風圧性能が向上する。（２）雌型連結部に形成した傾斜した傾斜面により、脱落防止片の脱落防止溝への引っ掛かりを確実に出来る。（３）傾斜面の下端が屋内側、上端が屋外側に傾斜して形成されているために、途中に形成された脱落防止溝への脱落防止片の引っ掛かりが確実である。（４）屋内側より負圧が付加された後でも、外装材の変形が元に戻ろうとした場合に傾斜面が、外装材の変形後の形状に戻ろうとする変形に追従し、元通りの状態に外装材が復元出来る。（５）傾斜片の形成により、嵌合溝の形状を開口部が広く、奥に行くに従って先細りの形状に形成したために、施工後に挿入片の先端が確実に嵌合溝の最奥部で固定され、また挿入片の嵌合溝への挿入が確実であると共に、さらに挿入片の先端に脱落防止片を形成しても、施工後も取り外しが可能であり、施工性も全く問題がない。（６）耐風圧性能に影響する外装材の構成（厚さ・働き幅・鋼板厚さ・樹脂密度・接着強度・嵌合深さ）等に影響されずに耐風圧性能を向上出来る。等の特徴、効果がある。
【図面の簡単な説明】
【０００７】
【図１】本発明に係る外装材の代表例を示す断面図である。
【図２】本発明に係る外装材の代表例を示す部分拡大断面図である。
【図３】本発明に係る外装材の施工状態を示す断面図である。
【図４】本発明に係る外装材の施工順序を示す断面図である。
【図５】本発明に係る外装材の施工順序を示す断面図である。
【図６】本発明に係る外装材の施工順序を示す断面図である。
【図７】本発明に係る外装材の施工順序を示す断面図である。
【図８】本発明に係る外装材の施工状態を示す断面図である。
【図９】本発明に係る外装材のその他の実施例を示す断面図である。
【発明を実施するための形態】
【実施例】
【０００８】
以下に図面を用いて、本発明に係る外装材の一実施例について詳細に説明する。すなわち、外装材Ａは図１、図２（ａ）、（ｂ）に示すように、表面材１と裏面材２で例えば合成樹脂発泡体からなる芯材３を、サンドイッチした外装材Ａである。また、図３は施工状態を示す断面図である。なお、Ｐは防水性強化のために連続状に形成したパッキンである。
【０００９】
外装材Ａの全体形状の一例としては図１、図２（ａ）、（ｂ）に示すように、長尺で金属製の薄板からなる表面材１と裏面材２間に芯材３をサンドイッチし、幅方向の下端に形成した雄型連結部４、上端に形成した雌型連結部５とから形成し、化粧面６の下端には下側壁６、上端には上側壁７を形成したものである。
【００１０】
さらに詳説すると、雄型連結部４は垂直面状の化粧面ａの下端を屋内側に屈曲した下側壁６と、下側壁６の先端を上方に突出した下縁８と、化粧面ａと下側壁６と下縁８とからなるカバー片８ａと、下縁８の先端を屋内側に屈曲した最奥片９と、最奥片９の先端を下方に垂下した係合片１０と、下縁８と最奥片９と係合片１０とからなる係合溝１１と、係合片１０の先端を屋内側に突出した段差片１２と、段差片１２の先端を下方に垂下した挿入片１３と、挿入片１３の先端を屋外側で上方に傾斜して突出した脱落防止片１４とから形成したものである。また、１５は空間である。
【００１１】
雌型連結部５は化粧面ａの上端を屋内側に突出した上側壁７と、上側壁７の先端を上方に突出した目地面１６と、目地面１６の先端を屋内側へ屈曲すると共に下方に傾斜して突出した傾斜面１７と、目地面１６と傾斜面１７とから形成した嵌合面１８と、傾斜面１７の一部を屋外側へ窪ませた脱落防止溝１９と、脱落防止溝１９により形成された支持面２０と、傾斜面１７の先端を上方に突出した固定面２１と、傾斜面１７と固定面２１とから形成した嵌合溝２２と、固定面２１の先端を折り返した舌面２２とから形成したものである。
【００１２】
図３において、αは躯体、βは固定具、γは連結部である。
【００１３】
表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものである。また、裏面材２としてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものでも良いものである。
【００１４】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、特に耐火性を必要とする場合にはレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。勿論、芯材３としてロックウール、グラスウール、セラミックウール等の無機材を使用しても良いものである。
【００１５】
外装材Ａ同士は、図４、図５に示すように係合溝１０に嵌合面１８が挿入されることにより、図３に示すように連結されるものである。
【００１６】
係合溝１１には図３に示すように、雌型連結部５の嵌合面１８が挿入され外装材Ａを連結すると共に、連結部γのガタつきを防止するものである。
【００１７】
挿入片１３と脱落防止片１４は嵌合溝２２内に挿入され、脱落防止片１４部分が嵌合溝２２の最奥部分と傾斜面１７に当接するように形成され、連結部γ部分がガタつきなく固定されるものである。
【００１８】
傾斜面１７は図２（ｂ）に示すように、屋内側に傾斜して形成されるものであり、図６〜図８に示すように、壁体の耐風圧性能試験において屋内側より負圧が付加された場合に、脱落防止片１４が傾斜して形成された傾斜面１７沿って移動し、脱落防止片１４の先端が脱落防止溝１９に確実に引っ掛かるように形成されたものであり、外装材Ａの剥落を防止するものである。
【００１９】
また、傾斜面１７は図のように下端が屋内側、上端が屋外側に傾斜して形成されているために、途中に形成された脱落防止溝１９への脱落防止片１４の引っ掛かりが確実であると共に、屋内側より負圧が付加された後でも、外装材Ａの変形が元に戻ろうとした場合に傾斜面１７が、外装材Ａの変形後の形状に戻ろうとする変形に追従し、図３に示す様な元通りの状態に外装材Ａが復元出来るものである。
【００２０】
また、傾斜片１７の形成により、嵌合溝２２の形状を開口部が広く、奥に行くに従って先細りの形状に形成したために、施工後に挿入片１３の先端が確実に嵌合溝２２の最奥部で固定され、また挿入片１３の嵌合溝２２への挿入が確実であると共に、さらに挿入片１３の先端に脱落防止片１４を形成しても、施工後も取り外しが可能であり、施工性も全く問題がないものである。
【００２１】
このように、挿入片１３の先端に脱落防止片１４を形成しても施工に支障を来さず、かつ屋内側より負圧が付加された場合にでも脱落を確実に防止出来る外装材Ａとなるものである。
【００２２】
また、図２（ａ）、（ｂ）に示すように嵌合溝２２の開口幅をＷ、脱落防止片１４の高さをＷ１とすると、Ｗ＞Ｗ１の関係である。
【００２３】
そこで、外装材Ａの施工順序について図３〜図５を用いて説明する。まず、図４に示すように下段の外装材Ａ１の固定面２１を固定具βで打設して固定し、図４、図５に示すように上段に外装材Ａの挿入片１３を下段の外装材Ａの嵌合溝２２挿入するようにして形成するものである。
【００２４】
その後、図５、図６に示すように上段の外装材Ａを上方に引き上げ係合片８を嵌合溝１９内に挿入する。
【００２５】
このようにして形成した本発明に係る外装材Ａにより形成した壁体においては、図６に示すように、壁体の耐風圧性能試験において屋内側より負圧が付加された場合に、脱落防止片１４が脱落防止溝１９に引っ掛かるために、外装材Ａの剥落を防止出来るものである。
【００２６】
以上説明したのは本発明に係る外装材の一実施例にすぎず、図９（ａ）〜（ｃ）に示すように外装材Ａを形成することも出来る。
【符号の説明】
【００２７】
Ａ  外装材
ａ  化粧面
Ｐ  パッキン
α  躯体
β  固定具
γ  連結部
１  表面材
１ａ  化粧面裏面
２  裏面材
３  芯材
４  雄型連結部
５  雌型連結部
６  下側壁
７  上側壁
８  下縁
８ａ  カバー片
９  最奥片
１０  係合片
１１  係合溝
１２   段差片
１３   挿入片
１４   脱落防止片
１５   空間
１６   目地面
１７   傾斜面
１８   嵌合面
１９   脱落防止溝
２０   支持面
２１   固定面
２２   嵌合溝
２３   舌面
【図１】
0005930638.tif 000002
【図２】
0005930638.tif 000003
【図３】
0005930638.tif 000004
【図４】
0005930638.tif 000005
【図５】
0005930638.tif 000006
【図６】
0005930638.tif 000007
【図７】
0005930638.tif 000008
【図８】
0005930638.tif 000009
【図９】
0005930638.tif 000010